(57)【要約】【課題】２通りの使用形態を選択できると共に、使い勝手に優れ、部品点数を低減することもできる滴下容器を提供する。【解決手段】容器本体20と、該容器本体20の口部21に固定され、該口部21から起立する注出筒32を有する中栓30と、容器本体20に着脱可能に設けられたオーバーキャップ40とを備える滴下容器1において、オーバーキャップ40に、内周面の下側領域が注出筒32の外周面と嵌合する有頂筒状の嵌合壁45と、該嵌合壁45の外周面に突設され、該オーバーキャップ40の装着状態にて容器本体20を横倒しさせ、注出筒32及び嵌合壁45を通じて注出させた内容液を先端から滴下させる筒体46と、該筒体46の先端を、嵌合壁45につながるヒンジ47を介して開閉可能な蓋体48とを設ける。【選択図】図１
2015127216.tif 000002
【特許請求の範囲】
【請求項１】
口部、胴部及び底部を有するボトル状を成すと共に内容液を収納した容器本体と、該容器本体の口部に固定され、該口部から起立する注出筒を有する中栓と、前記容器本体に着脱可能に設けられ、該容器本体への装着状態にて前記口部及び前記中栓を被覆するオーバーキャップとを備え、前記オーバーキャップを取り外して前記容器本体を倒立させ、前記注出筒を通じて注出させた内容液を該注出筒の先端から滴下させることが可能な滴下容器において、
前記オーバーキャップは、内周面の下側領域が前記注出筒の外周面と嵌合する有頂筒状の嵌合壁と、該嵌合壁の外周面に突設され、該オーバーキャップの装着状態にて前記容器本体を横倒しさせ、前記注出筒及び前記嵌合壁を通じて注出させた内容液を先端から滴下させる筒体と、該筒体の先端を、前記嵌合壁につながるヒンジを介して開閉可能な蓋体とを有することを特徴とする滴下容器。
【請求項２】
前記注出筒の先端の内容液を注出させる開口径と、前記筒体の先端の内容液を注出させる開口径との大きさを互いに異なるものとした、請求項１に記載の滴下容器。
【発明の詳細な説明】
【技術分野】
【０００１】
本発明は、ボトル状を成す容器本体と、該容器本体の口部に固定された中栓と、容器本体への装着状態にて前記口部及び中栓を被覆するオーバーキャップとを有し、オーバーキャップを取り外して容器本体を倒立させ、中栓の注出筒の先端から滴下させることが可能な滴下容器に関し、特に、２通りの使用形態を選択できると共に、使い勝手に優れ、部品点数を低減することもできる滴下容器を提供しようとするものである。
【背景技術】
【０００２】
従来、例えば目薬などを内容液とする滴下容器として、例えば特許文献１には、ボトル状を成す容器本体と、該容器本体の口部に着脱可能に装着される点眼具と、該点眼具の点眼口用のキャップと、点眼具に代えて前記口部に着脱可能に装着される中栓とを備え、点眼具からの点眼に代えて、中栓からの点眼を行う際には、点眼具を前記口部から取り外し、中栓を前記口部に装着するようにしたものが示されている。
【０００３】
また、特許文献２には、ボトル状を成す容器本体と、該容器本体の口部に固定されると共に、側面に注出口を有する中栓と、前記口部に固定される固定筒にヒンジを介して連結され、中栓の注出口を開閉可能な蓋体を有するキャップとを備え、蓋体を開き、容器本体を横倒しさせて点眼を行うようにしたものが示されている。
【先行技術文献】
【特許文献】
【０００４】
【特許文献１】実開平５−９１６８０号公報
【特許文献２】実開平５−１８５３５号公報
【発明の概要】
【発明が解決しようとする課題】
【０００５】
ところで、このような滴下容器を、例えば目薬用容器として用いる場合には、容器本体の倒立状態からだけでなく、横倒し状態からの点眼や、片手、或いは両手での点眼など、様々な点眼方法が存在することから、このような複数の点眼方法に対応できる容器とすることが望まれる。また、使用者によって、必要とされる点眼量が異なることから、滴下させる内容液一粒当りの大きさ（すなわち、滴下量）を変更できると都合が良い。
【０００６】
しかしながら、特許文献１に記載されるような滴下容器では、中栓から点眼させるためには、点眼具を取り外し、点眼具に代えて中栓を容器本体の口部に装着させる必要があり、使い勝手が悪かった。また、当該容器は、容器本体、点眼具、キャップ及び中栓の４つの部品から構成されており、部品点数が多くコスト上不利であった。
【０００７】
また、特許文献２に記載されるような滴下容器では、容器本体の横倒し状態からの点眼しか行うことができず、滴下量を変更することもできなかった。
【０００８】
本発明は、前記の現状に鑑み開発されたもので、２通りの使用形態を選択できると共に、使い勝手に優れ、部品点数を低減することもできる滴下容器を提供することを目的とする。
【課題を解決するための手段】
【０００９】
すなわち、本発明の要旨構成は以下のとおりである。
１．口部、胴部及び底部を有するボトル状を成すと共に内容液を収納した容器本体と、該容器本体の口部に固定され、該口部から起立する注出筒を有する中栓と、前記容器本体に着脱可能に設けられ、該容器本体への装着状態にて前記口部及び前記中栓を被覆するオーバーキャップとを備え、前記オーバーキャップを取り外して前記容器本体を倒立させ、前記注出筒を通じて注出させた内容液を該注出筒の先端から滴下させることが可能な滴下容器において、
前記オーバーキャップは、内周面の下側領域が前記注出筒の外周面と嵌合する有頂筒状の嵌合壁と、該嵌合壁の外周面に突設され、該オーバーキャップの装着状態にて前記容器本体を横倒しさせ、前記注出筒及び前記嵌合壁を通じて注出させた内容液を先端から滴下させる筒体と、該筒体の先端を、前記嵌合壁につながるヒンジを介して開閉可能な蓋体とを有することを特徴とする滴下容器。
【００１０】
２．前記注出筒の先端の内容液を注出させる開口径と、前記筒体の先端の内容液を注出させる開口径との大きさを互いに異なるものとした、前記１の滴下容器。
【発明の効果】
【００１１】
本発明によれば、オーバーキャップを取り外せば、容器本体を倒立させ、注出筒を通じて注出させた内容液を該注出筒の先端から滴下させることができる一方、オーバーキャップを装着させれば、蓋体をヒンジの周りに回動させて筒体の先端を開放させ、容器本体を横倒しさせ、注出筒及び嵌合壁を通じて注出させた内容液を筒体の先端から滴下させることができるため、２通りの使用形態を選択することができる。また、使用時には、オーバーキャップの蓋体の開放、或いはオーバーキャップの取り外しというワンタッチの操作で、前述した２通りのいずれの使用形態も可能となるため、使い勝手に優れたものとすることができる。また、不使用時のシール機能、２通りの使用形態を可能とするために、容器本体、中栓及びオーバーキャップの３部品のみを必要とする構成であるため、部品点数を低減することもできる。
【００１２】
したがって、本発明によれば、２通りの使用形態を選択できると共に、使い勝手に優れ、部品点数を低減することもできる滴下容器を提供することができる。
【図面の簡単な説明】
【００１３】
【図１】本発明の一実施形態に係る滴下容器をオーバーキャップ装着状態で示す一部断面側面図である。
【図２】図１のＡ方向から見た一部断面側面図である。
【図３】図１の滴下容器について、容器本体の倒立状態から内容液を滴下させる要領を示す一部断面側面図である。
【図４】図１の滴下容器について、容器本体の横倒し状態から内容液を滴下させる要領を示す一部断面側面図である。
【発明を実施するための形態】
【００１４】
以下、図１〜図４を参照して、本発明の一実施形態に係る滴下容器について詳細に例示説明する。
図１及び図２に示すように、滴下容器１は、容器本体２０と、中栓３０と、オーバーキャップ４０とを備えている。容器本体２０は、口部２１、胴部２２及び底部２３を有するボトル状を成し、口部２１は円筒状をなす一方、胴部２２は、略楕円形の断面形状になっている。また、容器本体２０は、押圧変形可能な容器体として構成され、その内部に内容液を収納している。
【００１５】
胴部２２と口部２１の接続領域には、オーバーキャップ４０の回転に伴ってオーバーキャップ４０の下端縁４１を持ち上げる案内リブ２１ａが形成されている。口部２１の案内リブ２１ａの上側領域には、鍔部２１ｂが形成され、鍔部２１ｂの上側領域には、係止突起２１ｃが周設されている。
【００１６】
中栓３０は、口部２１上端面に当接すると共に口部２１の開口を覆う天壁３１と、天壁３１の上面において口部２１から起立する注出筒３２と、天壁３１の下面において注出筒３２に連なって垂設された下筒３３とを有する。注出筒３２と下筒３３との内周面によって形成される流路Ｒ１の下端には、絞り部Ｔが形成されている。また、天壁３１の外周縁近傍には、容器本体２０の口部２１の内周面に嵌合により固定される固定筒３４が形成されている。
【００１７】
オーバーキャップ４０は、容器本体２０に着脱可能に設けられ、容器本体２０への装着状態にて口部２１及び中栓３０を被覆するように構成されている。具体的には、オーバーキャップ４０は、略楕円形の断面形状を有する外周壁４２と、外周壁４２の上端を覆う上面壁４３と、上面壁４３から垂設され、口部２１外周面に着脱可能に嵌合する一対の円弧状の内周壁４４と、上面壁４３から起立する有頂筒状の嵌合壁４５とを有している。
【００１８】
一対の内周壁４４には、口部２１に周設された係止突起２１ｃに上方から乗越え係止される係止突起４４ａが周設されている。また、一対の内周壁４４の両側縁部は、外周壁４２の内周面に連なっており、これら内周壁４４の内周面下部領域と外周壁４２の内周面下部領域とが口部２１の鍔部２１ｂの全周に当接することで、大気中からの塵などの侵入を抑制するようになっている。ただし、このように、内周壁４４及び外周壁４２を鍔部２１ｂに当接させて、当該当接部でシールを形成することは必須ではない。すなわち、嵌合壁４５の内周面の下側領域を注出筒３２の外周面と嵌合させて、当該嵌合部で、大気中からの塵などの侵入を防止するシールを形成するようにしているため、当該嵌合部に加えて、鍔部２１ｂでもシールを形成することは必須ではない。しかしながら、本例のように、鍔部２１ｂでの追加のシール部も設けることが好ましい。
【００１９】
また、本例では、オーバーキャップ４０は、一対の内周壁４４に周設された係止突起４４ａと口部２１に周設された係止突起２１ｃとの嵌合によって、容器本体２０に着脱可能とされているが、このような構成に代えて、例えば、ねじによって着脱可能にすることもできる。
【００２０】
オーバーキャップ４０の嵌合壁４５は、前述したように該嵌合壁４５の内周面の下側領域が注出筒３２の外周面と嵌合することで、注出筒３２と下筒３３との内周面によって形成された流路Ｒ１につながる流路Ｒ２を形成している。
【００２１】
また、オーバーキャップ４０は、嵌合壁４５の外周面に突設され、嵌合壁４５の内部に形成された流路Ｒ２につながる流路Ｒ３を形成する筒体４６を有する。本例では、筒体４６の軸線は、注出筒３２の軸線に対して直交している。また、本例では、筒体４６の先端の開口径Ｄ１（後掲図４参照）は、注出筒３２の先端の開口径Ｄ２（後掲図３参照）と異なる大きさになっており、具体的には、注出筒３２の先端の開口径Ｄ２よりも小さくなっている。さらに、オーバーキャップ４０は、筒体４６の先端を、嵌合壁４５につながるヒンジ４７を介して開閉可能な蓋体４８を有する。
【００２２】
かかる構成によれば、滴下容器１の不使用時には、図１及び図２に仮想線で示したように、容器本体２０にオーバーキャップ４０を装着させ、蓋体４８で筒体４６の先端を閉鎖しておくことで、容器本体２０内や、内容液の各流路Ｒ１，Ｒ２，Ｒ３内への大気中の塵などの侵入を防止することができる。
【００２３】
また、容器本体２０の倒立状態から内容液を滴下させる場合には、前述した不使用時の状態から、オーバーキャップ４０を容器本体２０に対して回転させることで、オーバーキャップ４０の下端縁４１が案内リブ２１ａによって持ち上げられて、オーバーキャップ４０側の係止突起４４ａと口部２１側の係止突起２１ｃとの係合が外れるので、容易にオーバーキャップ４０を取り外すことができる。そして、図３に示すように、容器本体２０を倒立させ、注出筒３２を通じて注出させた内容液を該注出筒３２の先端から滴下させることができる。
【００２４】
さらに、容器本体２０の横倒し状態から内容液を滴下させる場合には、前述した不使用時の状態から、蓋体４８をヒンジ４７の周りに回動させて筒体４６の先端を開放させ、図４に示すように、容器本体２０を横倒しさせ、下筒３３、注出筒３２、嵌合壁４５及び筒体４６の流路Ｒ１，Ｒ２，Ｒ３を通じて注出させた内容液を筒体４６の先端から滴下させることができる。また、本例では、筒体４６の先端の内容液を注出させる開口径Ｄ１は、注出筒３２の先端の内容液を注出させる開口径Ｄ２よりも小さくなっているので、注出筒３２から内容液を滴下させる場合よりも小さい滴状を形成し、滴下させることができる。したがって、少ない滴下量を必要とする使用者は、オーバーキャップ４０を装着させて使用し、多い滴下量を必要とする使用者は、オーバーキャップ４０を取り外して使用することができる。
【００２５】
このように、本実施形態に係る滴下容器１によれば、使用者の要求に応じて、２通りの滴下姿勢（すなわち、容器本体２０の倒立又は横倒し）、或いは２通りの滴下量（すなわち、大粒又は小粒の滴状の形成）から選択して使用でき、したがって、２通りの使用形態を選択することができる。また、使用時には、オーバーキャップ４０の蓋体４８の開放、或いはオーバーキャップ４０の取り外しというワンタッチの操作で、前述した２通りのいずれの使用形態も可能となるため、使い勝手に優れたものとすることができる。また、不使用時のシール機能、２通りの使用形態を可能とするために、容器本体２０、中栓３０及びオーバーキャップ４０の３部品のみを必要とする構成であるため、部品点数を低減することもできる。
【００２６】
上述したところは、本発明の一実施形態を示したにすぎず、特許請求の範囲において、種々の変更を加えることができる。例えば、容器本体２０は、内容液を収納する一層構造の容器体として構成されるものとして説明したが、必ずしもこのような構成に限定する必要はなく、容器本体２０として、例えば、内層体と外層体とを積層させて構成され、内層体のみを減容変形させて内容液を注出させる積層容器（デラミ容器とも言う）を用いてもよい。
【符号の説明】
【００２７】
１  滴下容器
２０  容器本体
２１  口部
２１ａ  案内リブ
２１ｂ  鍔部
２１ｃ  係止突起
２２  胴部
２３  底部
３０  中栓
３１  天壁
３２  注出筒
３３  下筒
３４  固定筒
４０  オーバーキャップ
４１  下端縁
４２  外周壁
４３  上面壁
４４  内周壁
４４ａ  係止突起
４５  嵌合壁
４６  筒体
４７  ヒンジ
４８  蓋体
Ｒ１，Ｒ２，Ｒ３  流路
Ｔ  絞り部
Ｄ１，Ｄ２  開口径
【図１】
2015127216.tif 000003
【図２】
2015127216.tif 000004
【図３】
2015127216.tif 000005
【図４】
2015127216.tif 000006